(57)【要約】      （修正有）【課題】マイナスイオン精油拡散装置のノズル構造を提供する。【解決手段】交換式のノズルヘッドと、エネルギーリングと、上カバーと、リング状ガスケットと、集気カバーと、十字状ストッパー板とを含んでなる集気ユニット５０と、及び軟性液体カップと、振動ガイドカップと、環状シリコン板と、金属キャップ座と、振動手段と、軟性圧力リングと、回路基板と、外側容器を含んでなる振動ユニット５１と、及びファンセットと、円形のベース板と、台座とを含んでなり、ベース板の中央には通気グリッドを設け、かつ台座の中央には通気孔を穿設し、通気孔の周囲にネジ孔を形成し、複数の組立ネジを下方から螺入するとともに、台座の外底面には４つの台座脚取付け溝を形成し、それぞれに滑り止め台座脚を嵌設したブロアーユニット５２と、及び電気制御セット５３とを含んでなる。【選択図】図５
0003220202.tif 000002
【実用新案登録請求の範囲】
【請求項１】
集気ユニットと、振動ユニットと、ブロアーユニットと、電気制御セットとを含んでなり、
該集気ユニットは、交換式のノズルヘッドと、エネルギーリングと、上カバーと、リング状ガスケットと、集気カバーと、十字状ストッパー板とを含んでなり、
該ノズルヘッドは筒状部を具えるキャップ体であって、上面に通過孔を穿設するとともに、該筒状部の内周面に螺刻して内ネジ山を形成し、
該エネルギーリングは磁性を有する金属のリング体であって、中心部に通過孔を形成し、
該上カバーは半球体の蓋体であって、上面に通過孔を穿設し、
該集気カバーは円錐形を呈する蓋体であって、上端部には外周面に螺刻して外ネジ山を形成した筒状部を設け、該筒状部の底面には十字状通過孔を形成し、かつ下方にフレキシブルなシリコン材によってなる板体である十字状ストッパー板を設けるとともに、かえしが形成された釘体を中心部に立設し、これら部材を直列にして配列し、互いにネジで締結して該集気ユニットを構成し、
該振動ユニットは、軟性液体カップと、振動ガイドカップと、環状シリコン板と、金属キャップ座と、振動手段と、軟性圧力リングと、回路基板と、外側容器を含んでなり、
該軟性液体カップは可塑性のＰＥＴ樹脂材を真空成型して形成したカップ体であって、上端部には、突縁状に外方向へ突起した環状係合座を形成し、かつ底端部が球状に形成されたカップ体であって、
該振動ガイドカップは、上端部外周面に突縁部を環状に形成するとともに、底面に通過孔を形成し、該通過孔の周縁に近接した位置に部材収納室を環状に形成するとともに、複数の補強リブと埋め込みボルトとを放射状に配列して設け、
該環状シリコン板は、外周縁の対向する位置に埋め込みボルト位置決め切り欠き部をそれぞれ形成し、上面に内外止水突起部を形成し、かつ外周縁部に環状突起部を形成し、
該金属キャップ部は円周に沿って鍔部が形成されてなり、該鍔部の外周縁の対向する位置に、それぞれ埋め込みボルト位置決め切り欠き部を形成するとともに、上面には通過孔を穿設し、
該振動手段は、シリコン座に振動子を嵌設してなり、該シリコン座の上面には止水環状突起を形成し、
該軟性圧力リングは、軟性のシリコン材によってなる環状体であって、外周縁の対向する位置に埋め込みボルト位置決め切り欠き部をそれぞれ形成し、
該回路基板は振動回路基板であって、上面に複数のＬＥＤランプを設け、底面に放熱フィンセットとネジとを設け、
該外側容器は中空の筒状を呈し、内周上部には環状位置決め板を凸設し、底部には内周縁部に４つのネジ座を凸設し、
該ブロアーユニットは、ファンセットと、円形のベース板と、台座とを含んでなり、該ベース板の中央には通気グリッドを設け、かつ該台座の中央には通気孔を穿設し、該通気孔の周囲にネジ孔を形成し、複数の組立ネジを下方から螺入するとともに、該台座の外底面には４つの台座脚取付け溝を形成し、それぞれに滑り止め台座脚を嵌設し、これらの各部材を直列状に接続してネジで締結して該振動ユニットと該ブロアーユニットとを構成することを特徴とするマイナスイオン精油拡散装置のノズル構造。
【請求項２】
前記台座脚取付け溝が該台座の外底面に設けられ、滑り止め台座脚が嵌設され、該滑り止め台座脚がゴム材によってなり、装置の滑り止めと振動緩和と発生音を減少することを特徴とする請求項１に記載のマイナスイオン精油拡散装置のノズル構造。
【請求項３】
前記軟性液体カップが可塑性のＰＥＴ樹脂材を真空成型して形成したカップ体であって、底端部が球状に形成され、二次加工を経て菲薄化されて軟性特性が出現して軟質領域となり、水を媒体として振動を効率よく伝動して水温が上昇して高温になる現象を防ぐことを特徴とする請求項１に記載のマイナスイオン精油拡散装置のノズル構造。
【請求項４】
前記ノズルヘッドが交換式であって、該集気ユニットと該ノズルヘッドとの間にノズル構造を設け、直上式のノズルヘッドと、斜め吹き出し式のノズルヘッドと、筒状取付け座とを含み、
該筒状取付け座の下端部には、内周面に螺刻して、該集気ユニット上端の外側ネジ山対応するネジ山を形成し、かつ螺着方式で金属エネルギーリングをその間に挟み、使用者が個人の好みに基づき、直上式のノズルヘッドか、斜め吹き出し式のノズルヘッドか選択できるようにしたことを特徴とする請求項１に記載のマイナスイオン精油拡散装置のノズル構造。
【考案の詳細な説明】
【技術分野】
【０００１】
この考案は、芳香散布装置に関し、特にマイナスイオン精油拡散装置のノズル構造の改良に関する。
【背景技術】
【０００２】
アロマテラピーは、すでに長きにわたって研究されてきており、多くのメディア（例えばリーダーズ・ダイジェスト）によって、沿革、応用、発展などが紹介されている。これらメディアの報道で挙げている事例をみれば、アロマテラピーは正規の医療に取って代わることができるかという問いかけに答えを保留してはいるものの、おしなべてプラスの評価を与え、楽観的にみている。だが、果たして人体に対して普遍的な療養の効果があるや否やは問わずとも、室内で適宜な精油を選択して芳香を漂わせれば、自然にリラクセーションを人に与え、さらには心を落ち着かせる環境を構築することができる。人は、心が落ち着けば、違和感が軽減し、仕事においてもリラックスして取り組むことができ、ＥＱを高め、感情をコントロールすることができるなど、もたらされる利益は、極めて多い。
【０００３】
従来の精油を空気中に散布して漂わせる方法として、加熱法（蝋燭を灯す、又は電熱で加熱）、イソプロピルアルコールを利用した蒸散法、微酸素含有蒸散法などが挙げられる。但し、これらは加熱の過程においてブラストする危険性が普遍的に存在する。また、蒸散する分子が大きすぎたり、オゾンが発生したりするなどといった環境に不利益な種々の要素を持つため、専門家はこれら方法の採用を薦めていない。
【０００４】
近年、電力を利用して振動周波数を発生させ、滴下させた精油混合液を急速に振動させて霧化して拡散させる超音波拡散方法が開発され、発展を遂げている。係る方法は、加熱による危険性がなく、精油を加速的に細分子化して散布するための最も好ましい方法である。然しながら、超音波を応用した芳香拡散法のために作られた芳香拡散装置は、機能の面から言えば、十分にその効果を達成しているとはいえない。
【０００５】
図１Ａ、図１Ｂは、それぞれ従来の超音波芳香拡散装置の外観と一部内部構造を示した説明図と、及び側面構造を示した説明図である。図面の開示から明らかなように、従来の超音波芳香拡散装置は、本体３０と、集気ユニット２０と、ノズル１０と、電気制御セット４０とを含んでなり、本体３０には、精油液収納カップ３０４を内設した振動ガイドカップ３０１とを設ける。振動ガイドカップ３０１の下方には、振動手段３０２ａが丁度嵌設できる大きさの振動手段収納室３０´を形成し、かつ振動ユニット３０２を設ける。振動ユニット３０２は、振動手段３０２ａと放熱回路基板３０２ｂとを含んでなり、放熱回路基板３０２ｂ上には感知スティック３０２ｂ´を凸設する。また、振動ユニット３０２は振動ガイドカップ３０１の下方にネジで固定する。さらに、振動ユニット３０２の下方にはファン３０３を設ける。係る構成によれば、予め水を振動ガイドカップ３０１に入れる。水を入れる高さは感知スティック３０２ｂ´より高くする。さらに、精油液を八分目まで入れた精油液収納カップ３０４を置いて電気制御セット４０を起動して作動させると、振動ユニット３０２の作用で高周波振動が発生し、精油液収納カップ３０４内の液体が瞬時に霧化するとともに、ファン３０３のブロワー効果によって細分子化した精油液の分子が集気ユニット２０を経て上昇し、ノズル１０から吐出する。このため芳香散布と室内の湿度調整という目的を達成する。よって、空気関連製品の市場において好評を博している。
【０００６】
図２Ａと図２Ｂは、それぞれ上述する従来の超音波芳香拡散装置における振動ガイドカップ３０１の構造を示した説明図と、振動ユニット３０２の構造を示した分解図である。図面の開示から明らかなように、振動ガイドカップ３０１の下方には、シリコンベース３０２ａ１に振動子３０２ａ２を嵌め込んでなる振動手段３０２ａが丁度嵌設できる大きさの振動手段収納室３０´が形成されるとともに、振動手段３０２ａと放熱回路板３０２ｂとを含んでなり、かつ振動ガイドカップ３０１の下方に螺設される振動ユニット３０２を具える。
【０００７】
上述する従来の超音波芳香拡散装置に対して、本願の考案者が絶え間なく実験と研究を行なったところ、若干の欠点の存在することを発見した。即ち、図２Ｃは従来の振動ガイドカップの外観と一部を切り欠いた説明図であるが、図面の開示から明らかなように、上述する従来の超音波芳香拡散装置を作動させた場合、長時間使用すると、振動ユニットに高い周波数（毎秒２４０万回）の振動が発生することから、発生した温度と振動周波数によって振動ガイドカップ３０１底部の振動手段収納室３０´にアブレーション亀裂３０¨が発生する現象が起きて、装置の作動不良、もしくは滲出などの現象を容易に招く。同時に、販売後の修理の原因となり極めて大きな困惑をもたらす。
【０００８】
上述する欠点に鑑み、本考案者は研究を重ねて改良を加えた。図３Ａ、３Ｂに、上述する超音波芳香拡散装置を改良した超音波芳香拡散装置の振動ガイドカップ低部のアブレーション防止構造を開示する。図３Ａは、その構造を示した分解図であって、図４は、側面から見た構造を示した説明図である。図面の開示から明らかなように、改良構造による振動ガイドカップ４０１は、底部に孔部４０１´を穿設し、下方に向かってシリコン環状パッド４０６と、金属をプレス加工してなる振動手段台座４０５と、振動ユニット４０２とをそれぞれ設けてなる。シリコン環状パッド４０６は、円周上の対向する位置にそれぞれ締結部材の位置決めに用いる切り欠き部を形成し、上面には内部、外部ともに液体の滲出を防ぐ凸部を形成した環状の板体であって、振動手段台座４０５はキャップ状を呈し、円周上の対向する位置にそれぞれ締結部材の位置決めに用いる切り欠き部を形成し、上面には孔部を穿設してなる。振動ユニット４０２は、振動手段４０４と放熱回路板４０３とを含んでなり、振動手段４０４はシリコン座４０４１に振動子４０４２を嵌入してなる。シリコン座４０４１上には環状の止水凸部４０４１´を形成する。
【０００９】
振動手段４０４は、側面から見た構造を示した説明図から明らかなよう
に、組み立てる場合、先ず振動子４０４２をシリコン座４０４１に嵌入し、さらに嵌入したまま振動手段台座４０５に嵌設し、複数の締結部材であるネジ４０７を下から上に向かって螺挿し、放熱回路板４０３と、振動手段４０４と、振動手段台座４０５と、シリコン環状パッド４０６とを振動ガイドカップ４０１底部の孔部４０１´に設けて緊密に締結する。係る緊密な締結によって横方向への振動の発生を効率よく減少させることができ、而も振動ユニット４０２を長時間作動させることによって発生する高熱と高速の振動周波数が振動ガイドカップ４０１底部に影響してアブレーション現象を招くことを防ぐことができる。さらに、振動手段台座４０５が金属材によってなるため、耐震度を効率よく高めることができる。
【００１０】
然しながら、上述するそれぞれの部材を組み立て使用した場合、振動子４０４２は長時間振動を持続するため、その力は決して大きくはないものの、長時間の作動するため、実際に作動させて使用すると、やはり他の部材に対してアブレーション性の破壊を与え、カップの底部に熱による変形が発生するのみならず、細微なクラックの出現も避けることができない。よって、水漏れ現象が容易に発生し、実に改良の必要がある。
【００１１】
また、図３Ｃは従来の液体カップを示した説明図であるが、図面に開示するように、従来の液体カップ４０８はプラスチック材を真空成型で成形してなるカップ体である。該カップ体が使用される場合、水が伝動の媒体となり、振動は外部から内部へと伝わる。従来のカップ体は均一な厚みを有し、材質が、やや硬さを有するように設計されている。よって、振動の反射が常に発生し、振動の乱流による干渉が形成され、係る現象によって水温が容易に上昇し、カップ底部の変形を招く。係る状況も本考案者が関心を寄せるところである。
【００１２】
また、図４Ａ及び図４Ｂは、従来の超音波芳香拡散装置のノズルの構造を側面から見た説明図である。図面の開示から明らかなように、従来のノズル１０は底部内周面に螺刻して内側ネジ山１０´を形成し、集気ユニット２０の上端部外周面に螺刻して外側ネジ山２０´を形成し、係る螺着方式を採用するとともに、金属エネルギーリング５０をノズル１０と集気ユニット２０との間に挟む。よって、マイナスイオン精油芳香拡散装置から発生する霧が直接上昇し、霧化効果を生じさせる。但し、夜間の就寝時間には、使用者は大量のマイナスイオンの霧を直接感じ取ることができない。このため、霧を斜めに吐出する必要がある。
【考案の概要】
【考案が解決しようとする課題】
【００１３】
この考案は、振動ユニットの長時間にわたる使用によって発生する高温と高速の振動周波数とが、振動伝動カップの底部に対してアブレーションを発生させるという状況を防ぎ、かつ熱伝導効率を高め、液漏れを防ぐマイナスイオン精油拡散装置のノズル構造を提供することを課題とする。
【００１４】
また、この考案は、装置本体の滑り止めと、振動の緩和及び作動時に発生する音を減少させるマイナスイオン精油拡散装置のノズル構造を提供することを課題とする。
【００１５】
また、この考案は、振動の伝動効率を高めるとともに、高温の発生率を抑え、かつ収納する精油液の量が従来の装置に対する消費者の習慣的なニーズを満たすマイナスイオン精油拡散装置のノズル構造を提供することを課題とする。
【００１６】
また、この考案は、夜間睡眠時における使用に適することのできるマイナスイオン精油拡散装置のノズル構造を提供することを課題とする。
【課題を解決するための手段】
【００１７】
請求項１に記載する芳香拡散装置は、集気ユニットと、振動ユニットと、ブロアーユニットと、電気制御セットとを含んでなり、
該集気ユニットは、交換式のノズルヘッドと、エネルギーリングと、上カバーと、リング状ガスケットと、集気カバーと、十字状ストッパー板とを含んでなり、
該ノズルヘッドは筒状部を具えるキャップ体であって、上面に通過孔を穿設するとともに、該筒状部の内周面に螺刻して内ネジ山を形成し、
該エネルギーリングは磁性を有する金属のリング体であって、中心部に通過孔を形成し、
該上カバーは半球体の蓋体であって、上面に通過孔を穿設し、
該集気カバーは円錐形を呈する蓋体であって、上端部には外周面に螺刻して外ネジ山を形成した筒状部を設け、該筒状部の底面には十字状通過孔を形成し、かつ下方にフレキシブルなシリコン材によってなる板体である十字状ストッパー板を設けるとともに、かえしが形成された釘体を中心部に立設し、これら部材を直列にして配列し、互いにネジで締結して該集気ユニットを構成し、
該振動ユニットは、軟性液体カップと、振動ガイドカップと、環状シリコン板と、金属キャップ座と、振動手段と、軟性圧力リングと、回路基板と、外側容器を含んでなり、
該軟性液体カップは可塑性のＰＥＴ樹脂材を真空成型して形成したカップ体であって、上端部には、突縁状に外方向へ突起した環状係合座を形成し、かつ底端部が球状に形成されたカップ体であって、
該振動ガイドカップは、上端部外周面に突縁部を環状に形成するとともに、底面に通過孔を形成し、該通過孔の周縁に近接した位置に部材収納室を環状に形成するとともに、複数の補強リブと埋め込みボルトとを放射状に配列して設け、
該環状シリコン板は、外周縁の対向する位置に埋め込みボルト位置決め切り欠き部をそれぞれ形成し、上面に内外止水突起部を形成し、かつ外周縁部に環状突起部を形成し、
該金属キャップ部は円周に沿って鍔部が形成されてなり、該鍔部の外周縁の対向する位置に、それぞれ埋め込みボルト位置決め切り欠き部を形成するとともに、上面には通過孔を穿設し、
該振動手段は、シリコン座に振動子を嵌設してなり、該シリコン座の上面には止水環状突起を形成し、
該軟性圧力リングは、軟性のシリコン材によってなる環状体であって、外周縁の対向する位置に埋め込みボルト位置決め切り欠き部をそれぞれ形成し、
該回路基板は振動回路基板であって、上面に複数のＬＥＤランプを設け、底面に放熱フィンセットとネジとを設け、
該外側容器は中空の筒状を呈し、内周上部には環状位置決め板を凸設し、底部には内周縁部に４つのネジ座を凸設し、
該ブロアーユニットは、ファンセットと、円形のベース板と、台座とを含んでなり、該ベース板の中央には通気グリッドを設け、かつ該台座の中央には通気孔を穿設し、該通気孔の周囲にネジ孔を形成し、複数の組立ネジを下方から螺入するとともに、該台座の外底面には４つの台座脚取付け溝を形成し、それぞれに滑り止め台座脚を嵌設し、これらの各部材を直列状に接続してネジで締結して該振動ユニットと該ブロアーユニットとを構成する。
【００１８】
請求項２に記載する芳香拡散装置は、請求項１における台座脚取付け溝が該台座の外底面に設けられ、滑り止め台座脚が嵌設され、該滑り止め台座脚がゴム材によってなる。係る構成によって、装置の滑り止めと振動緩和と発生音を減少するという効果が得られる。
【００１９】
請求項３に記載する芳香拡散装置は、請求項１における軟性液体カップが可塑性のＰＥＴ樹脂材を真空成型して形成したカップ体であって、底端部が球状に形成され、二次加工を経て菲薄化されて軟性特性が出現して軟質領域となる。係る構成によってなる軟性液体カップは、水を媒体として振動を効率よく伝動し、水温が上昇して高温になる現象を防ぐという効果がえら得る。
【００２０】
請求項４に記載する芳香拡散装置は、請求項１におけるノズルヘッドが交換式であって、該集気ユニットと該ノズルヘッドとの間にノズル構造を設け、直上式のノズルヘッドと、斜め吹き出し式のノズルヘッドと、筒状取付け座とを含み、該筒状取付け座の下端部には、内周面に螺刻して、該集気ユニット上端の外側ネジ山対応するネジ山を形成し、かつ螺着方式で金属エネルギーリングをその間に挟む。係る構成によって、使用者は個人の好みに基づき、直上式のノズルヘッドか、斜め吹き出し式のノズルヘッドか選択できる。
【考案の効果】
【００２１】
この考案によるマイナスイオン精油拡散装置のノズル構造によれば、振動ユニットの長時間にわたる使用によって発生する高温と高速の振動周波数とが、振動伝動カップの底部に対してアブレーションを発生させるという状況を防ぎ、かつ熱伝導効率を高め、液漏れを防ぐ。また、振動の伝動効率を高めるとともに、高温の発生率を抑える。よって、装置の使用寿命を延長させることができ、商品としての付加価値を高めるという効果が得られる。さらには、装置の品質が安定し、歩留まりを高めることができるという効果が得られる。また、霧化した精油を直接上方に吐出する形態と、斜めに吐出する形態とを具えることによって夜間睡眠時における使用にも適することから、商品としての付加価値をさらに高めるという効果が得られる。
【図面の簡単な説明】
【００２２】
【図１Ａ】従来の超音波芳香拡散装置の斜視図である。
【図１Ｂ】従来の超音波芳香拡散装置の断面構造を示した説明図である。
【図２Ａ】従来の超音波芳香拡散装置における振動ガイドカップと振動ユニットを示した説明図である。
【図２Ｂ】従来の超音波芳香拡散装置における振動ガイドカップと振動ユニットとを他の方向から見た説明図である。
【図２Ｃ】従来の超音波芳香拡散装置における振動ガイドカップの外観と一部構造を示した説明図である。
【図３Ａ】従来の他の超音波芳香拡散装置を分解した状態を示した説明図である。
【図３Ｂ】従来の他の超音波芳香拡散装置の一部構造を示した説明図である。
【図３Ｃ】従来の他の超音波芳香拡散装置における液体カップを示した説明図である。
【図４Ａ】従来の超音波芳香拡散装置におけるノズルの構造を示した説明図である。
【図４Ｂ】従来の超音波芳香拡散装置におけるノズルの作動を示した説明図である。
【図５】この考案による芳香拡散装置の斜視図である。
【図６】この考案による芳香拡散装置の構造を示した分解説明図である。
【図７】この考案における振動ユニットの側面構造を示した説明図である。
【図８】この考案による芳香拡散装置の構造を示した断面の説明図である。
【図９】この考案における軟性精油液カップを示した側面図である。
【図１０】この考案における軟性精油液カップを交換する態様を示した説明図である。
【図１１Ａ】この考案における直上式ノズルヘッドの構造を示した説明図である。
【図１１Ｂ】この考案における直上式ノズルヘッドの作動を示した説明図である。
【図１２Ａ】この考案における斜め吹き出し式ノズルヘッドの構造を示した説明図である。
【図１２Ｂ】この考案における斜め吹き出し式ノズルヘッドの作動を示した説明図である。
【考案を実施するための形態】
【実施例】
【００２３】
図１Ａから図４Ｂまでは、従来の装置に関する図であって、その種々の欠点については上述するとおりであるため、詳述は割愛する。
【００２４】
図５は、この考案による装置の外観を示した斜視図であって、図６は、その構造を示した分解図である。図７は、その側面から見た構造を示した説明図である。図面の開示から明らかなように、この考案によるマイナスイオン精油芳香拡散装置のノズル構造は、集気ユニット５０と、振動ユニット５１と、ブロアーユニット５２と、電気制御セット５３とを具える。
【００２５】
集気ユニット５０はノズルヘッド５０１と、エネルギーリング５０２と、上カバー５０３と、リング状ガスケット５０４と、集気カバー５０５と、十字状ストッパー板５０６とを含んでなる。ノズルヘッド５０１は筒状部を具えるキャップ体であって、上面に通過孔５０１ａを穿設するとともに、該筒状部の内周面に螺刻して内ネジ山５０１ｂを形成する。
【００２６】
エネルギーリング５０２は磁性を有する金属のリング体であって、中心部に通過孔５０２ａを形成する。上カバー５０３は、半球体の蓋体であって、上面に通過孔５０３ａを穿設する。
【００２７】
集気カバー５０５は円錐形を呈する蓋体であって、上端部には外周面に螺刻して外ネジ山を形成した筒状部５０５ａを設ける。筒状部５０５ａの底面には十字状通過孔５０５ｂを形成する。その下方の十字状ストッパー板５０６はフレキシブルなシリコン材によってなる板体であって、かえしが形成された釘体５０６ａを中心部に立設する。以上述べたそれぞれの部材を直列にして配列し、互いにネジで締結して集気ユニット５０を構成する。
【００２８】
振動ユニット５１は、軟性液体カップ５１１と、振動ガイドカップ５１２と、環状シリコン板５１３と、金属キャップ座５１４と、振動手段５１５と、軟性圧力リング５１６と、回路基板５１７と、外側容器５１８とを含む。
【００２９】
軟性液体カップ５１１は可塑性のＰＥＴ樹脂材を真空成型して形成したカップ体であって、上端部には、突縁状に外方向へ突起した環状係合座５１１ａを形成し、かつ底端部が球状に形成されたカップ体であり、二次加工を経て菲薄化されて軟性特性が出現する。中間に位置する容器である振動ガイドカップ５１２は、上端部外周面に突縁部５１２ａを環状に形成するとともに、底面に通過孔５１２ｂを形成する。また、通過孔５１２ｂの周縁に近接した位置に部材収納室５１２ｃを環状に形成するとともに、複数の補強リブ５１２ｄと埋め込みボルト５１２ｅとを放射状に配列して設ける。
【００３０】
環状シリコン板５１３は環状の板体であって、外周縁の対向する位置に埋め込みボルト位置決め切り欠き部５１３ａをそれぞれ形成し、上面に内外止水突起部５１３ｂを形成する。また、環状シリコン板５１３は、図６において環状シリコン板５１３の右に、環状シリコン板５１３を他の角度から見た局部説明図に開示するように、外周縁部に環状突起部５１３ｃを形成する。
【００３１】
金属キャップ部５１４は円周に沿って鍔部が形成されてなり、該鍔部の外周縁の対向する位置に、それぞれ埋め込みボルト位置決め切り欠き部５１４ａを形成するとともに、上面には通過孔５１４ｂを穿設する。
【００３２】
振動手段５１５は、シリコン座５１５Ａに振動子５１５Ｂを嵌設してなる。シリコン座５１５Ａ上面には止水環状突起５１５Ａ´を形成する。
【００３３】
軟性圧力リング５１６は、軟性のシリコン材によってなる環状体であって、外周縁の対向する位置に埋め込みボルト位置決め切り欠き部５１６ａをそれぞれ形成する。
【００３４】
回路基板５１７は振動回路基板であって、上面に複数のＬＥＤランプ５１７ａを設け、底面に放熱フィンセット５１７ｂとネジ５１７ｃとを設ける。
【００３５】
外側容器５１８は、中空の筒状を呈し、内周には環状位置決め板５１８ａを凸設し、底部には内周縁部に４つのネジ座５１８ｂを凸設する。
【００３６】
ブロアーユニット５２は、ファンセット５２１と、円形のベース板５２２と、台座５２３とを含んでなる。ベース板５２２の中央には通気グリッド５２２ａを設ける。台座５２３の中央には通気孔５２３ａを穿設し、かつその周囲に４つのネジ孔５２３ｂを形成し、複数の組立ネジ５２３ｃを下方から螺入する。さらに、台座５２３の外底面には４つの台座脚取付け溝５２３ｂ形成をし、それぞれに滑り止め台座脚５２３ｅを嵌設する。よって、上述するそれぞれの部材を直列状に接続してネジで締結することによって振動ユニット５１とブロアーユニット５２とを構成する。
【００３７】
図８に、この考案による芳香拡散装置の構造を側面から見た説明図を開示する。この考案の芳香拡散装置を組み立てる場合は、軟性液体カップ５１１と、振動ガイドカップ５１２と、環状シリコン板５１３と、金属キャップ座５１４と、振動手段５１５と、軟性圧力リング５１６と、回路基板５１７と、外側容器５１８とを嵌め合わせ、ネジで締結する。係る組み立て方式は極めて精密であって、いずれの部分も構造が強化されている。よって、使用上の効果を大幅に高め、使用上の問題の発生を低減させることができる。また、ブロアーユニット５２は、複数の組立ネジ５２３を用いて、台座５２３と、ベース板５２２と、ファンセット５２１とを螺着して一体にし、かつ滑り止め台座脚５２３ｅを嵌設することで、装置の滑り止めと、振動による音の発生を低減させるという効果が得られる。
【００３８】
図９、図１０は、それぞれこの考案における軟性精油液カップと、該軟性精油液カップの交換を示した説明図である。図面の開示から明らかなように、軟性液体カップ５１１は可塑性のＰＥＴ材を真空成型してなるカップ体であって、カップの形状は底部が球状を呈し、二次加工を経て菲薄化されて軟性特性が出現する。この軟質領域５１１´は、水を媒体として、有効か振動の伝動を効率よく行なうことができる。また、水温が上昇する現象の発生を極力抑えることができる。マイナスイオン精油芳香拡散装置の場合、通常異なる種類の精油を同一の液体カップで使用する状況が発生する。係る状況においては香りが混ざる現象が起きる。芳香に対する要求が極めて高い使用者にとって、この考案の液体カップを交換できるという特徴は、ヒューマニゼーションのニーズに極めて適合する。
【００３９】
図１１Ａと図１１Ｂとは、それぞれこの考案における直上型ノズルの分解図と、その構造を示した説明図である。図面の開示から明らかなように、この考案におけるノズルヘッドは交換式の構造を具え、集気ユニット２０とノズルヘッド１０Ａとの間に設け、直上式のノズルヘッド１０Ａと筒状取付け座１１とを含む。筒状取付け座１１の下端部には、内周面に螺刻して、集気ユニット２０上端の外側ネジ山２０´に対応するネジ山１１´を形成し、かつ螺着方式で金属エネルギーリング５０をその間に挟む。使用者は個人の好みに基づき、広い空間、もしくは客間で直上型ノズル形態を選択することができる（図１１Ｂ参照）。
【００４０】
図１２Ａと図１２Ｂとは、それぞれこの考案における斜め吹き出し型ノズルの分解図と、その構造を示した説明図である。図面の開示から明らかなように、この考案におけるノズルは交換式の構造を具え、該斜め吹き出し型ノズル構造は、斜めノズルヘッド１０Ｂと、取付け筒状座１１とを含む。取付け筒状座１１の下端部には、内周面に螺刻して、集気ユニット２０上端の外側ネジ山２０´に対応するネジ山１１´を形成し、かつ螺着方式で金属エネルギーリング５０をその間に挟む。使用者は個人の好みに基づき、寝室で斜め吹き出し型ノズル形態を選択することができる（図１１Ｂ参照）。特に、夜間の就寝時に、大量のマイナスイオンの霧を大量に吸入することが感じ取れる。
【符号の説明】
【００４１】
１０        ノズル
１０Ａ      ノズルヘッド
１１        筒状取付け座
１１´      ネジ山
２０        集気ユニット
２０´      外側ネジ山
３０        本体
３０´      振動手段収納室
３０１      振動ガイドカップ
３０２      振動ユニット
３０２ａ    振動手段
３０２ａ１  シリコンベース
３０２ａ２  振動子
３０２ｂ    放熱回路基板
３０２ｂ´  感知スティック
３０３      ファン
３０４      精油収納カップ
３０¨      アブレーション亀裂
４０        電気制御セット
４０１      振動ガイドカップ
４０１´    孔部
４０２      振動ユニット
４０３      放熱回路版
４０４      振動手段
４０４１    シリコン座
４０４１´  止水凸部
４０４２    振動子
４０５      振動手段台座
４０６      シリコン環状パッド
４０７      ネジ
４０８      液体カップ
５０        集気ユニット
５０１      ノズルヘッド
５０１ａ    通過孔
５０１ｂ    内ネジ山
５０２      エネルギーリング
５０２ａ    通過孔
５０３      上カバー
５０３ａ    通過孔
５０４      リング状ガスケット
５０５      集気カバー
５０５ａ    筒状部
５０５ｂ    十字状通過孔
５０６      十字状ストッパー板
５０６ａ    釘体
５１        振動ユニット
５１１      軟性液体カップ
５１１´    軟質領域
５１１ａ    環状係合座
５１２      振動ガイドカップ
５１２ａ    突縁部
５１２ｂ    通過孔
５１２ｃ    部材収納室
５１２ｄ    補強リブ
５１２ｅ    埋込ボルト
５１３      環状シリコン板
５１３ａ    埋め込みボルト位置決め切り欠き部
５１３ｂ    内外止水突起部
５１３ｃ    環状突起部
５１４      金属キャップ部
５１４ａ    埋め込みボルト位置決め切り欠き部
５１４ｂ    通過孔
５１５      振動手段
５１５Ａ    シリコン座
５１５Ａ´  止水環状突起
５１５Ｂ    振動子
５１６      軟性圧力リング
５１６ａ    埋め込みボルト位置決め切り欠き部
５１７      回路基板
５１７ａ    ＬＥＤランプ
５１７ｂ    放熱フィンセット
５１７ｃ    ネジ
５１８      外側容器
５１８ａ    環状位置決め板
５１８ｂ    ネジ座
５２        ブロアーユニット
５２１      ファンセット
５２２      ベース板
５２２ａ    通気グリッド
５２３      台座
５２３ａ    通気孔
５２３ｂ    ネジ孔
５２３ｃ    組立ネジ
５２３ｄ    台座脚取付け溝
５２３ｅ    滑り止め台座脚
５３        電気制御セット
【図１Ａ】
0003220202.tif 000003
【図１Ｂ】
0003220202.tif 000004
【図２Ａ】
0003220202.tif 000005
【図２Ｂ】
0003220202.tif 000006
【図２Ｃ】
0003220202.tif 000007
【図３Ａ】
0003220202.tif 000008
【図３Ｂ】
0003220202.tif 000009
【図３Ｃ】
0003220202.tif 000010
【図４Ａ】
0003220202.tif 000011
【図４Ｂ】
0003220202.tif 000012
【図５】
0003220202.tif 000013
【図６】
0003220202.tif 000014
【図７】
0003220202.tif 000015
【図８】
0003220202.tif 000016
【図９】
0003220202.tif 000017
【図１０】
0003220202.tif 000018
【図１１Ａ】
0003220202.tif 000019
【図１１Ｂ】
0003220202.tif 000020
【図１２Ａ】
0003220202.tif 000021
【図１２Ｂ】
0003220202.tif 000022